(57)【要約】発明は３Ｄデータを表示するシステムおよび方法を提供する。本発明の方法は、３Ｄ表示領域を二つ以上の下位表示領域に分割する工程と、各下位表示領域に表示規則の組を割り当てる工程とを含む。各下位表示領域で３Ｄデータ組の図視部は、その下位表示領域に割り当てられた規則にしたがって表示される。本発明の一実施態様によれば、表示領域の境界、各下位表示領域に対する表示規則、および各下位表示領域に表示されるように割り当てられた３Ｄデータ組は、ユーザーによって設定され得、かつその表示の際にユーザーによって相互作用的に変更可能である。本発明の別の一実施態様によれば、たとえ異なる表示規則を用いても、各下位表示領域には同じ３Ｄデータが表示され得る。その他に、本発明による別の実施態様によれば、異なる３Ｄデータ組は各下位表示領域に表示され得る。本発明による更なる別の実施態様によれば、多様な３Ｄデータ組は、異なる検出様式を用いる同一対象物または体の走査も含める。
2006512133.tif 000002
【特許請求の範囲】
【請求項１】
３Ｄデータの表示方法であって、３Ｄ表示領域を二つ以上の下位表示領域に分割し、表示規則の組を各下位表示領域に割り当て、該下位表示領域に割り当てられた規則に従い、各下位表示領域で３Ｄデータ組の全部または一部を表示することからなる方法。
【請求項２】
各下位表示領域に表示された３Ｄデータ組が、同一であるが、異なる表示規則を有することを特徴とする請求項１記載の方法。
【請求項３】
各下位表示領域に表示された３Ｄデータ組が、該下位表示領域に特異的なものであることを特徴とする請求項１記載の方法。
【請求項４】
各下位表示領域に表示された３Ｄデータ組が、異なる検出様式を用いる、ヒトまたは動物の体またはそれらの一部の３Ｄ走査であることを特徴とする請求項３記載の方法。
【請求項５】
検出様式が、ＣＴ，ＭＲ，ＰＥＴ，ＳＰＥＣＴおよびＵＳのうち一つ以上を含むことを特徴とする請求項４記載の方法。
【請求項６】
下位表示領域が、体積、２Ｄ表面および点を含むことを特徴とする請求項１記載の方法。
【請求項７】
３Ｄ表示領域が、長方形クロップボックスであることを特徴とする請求項１記載の方法。
【請求項８】
表示領域が、二つの下位表示領域に分割され、それらの共通の境界が平面であることを特徴とする請求項７記載の方法。
【請求項９】
表示領域を二つ以上の下位表示領域に分割する一つ以上の境界平面が、ユーザーにより定義され得ることを特徴とする請求項１記載の方法。
【請求項１０】
境界平面が、表示領域の一つ以上の表面に平行していることを特徴とする請求項９記載の方法。
【請求項１１】
下位表示領域の境界および各下位表示領域に対する表示規則の組が、ユーザーにより定義されることを特徴とする請求項１記載の方法。
【請求項１２】
下位表示領域の境界および各下位表示領域に対する表示規則の組が,ユーザーにより変更され得るシステムデフォルト値により定義されることを特徴とする請求項１１記載の方法。
【請求項１３】
下位表示領域の境界が、表示の際にユーザーにより変更され、新たな下位表示領域に位置する３Ｄデータ組内の点が、境界が変更される際に、実質的に実時間にそれに相応する新たな表示規則にしたがって表示され得ることを特徴とする請求項１記載の方法。
【請求項１４】
下位表示領域の境界の変更が、並進移動、回転、スケーリング、せん断、線形ワーピングまたは非線形ワーピングのうち一つ以上を含むことを特徴とする請求項１３記載の方法。
【請求項１５】
所定の下位表示領域に係る表示領域内の全ての点が、連続しているのを必要条件としないことを特徴とする請求項１記載の方法。
【請求項１６】
境界および/または表示規則が、表示内で相互作用的な対象物を介してユーザーにより定義または変更されることを特徴とする請求項１１記載の方法。
【請求項１７】
境界および/または表示規則が、表示内で相互作用的な対象物を介してユーザーにより定義または変更されることを特徴とする請求項１２記載の方法。
【請求項１８】
境界および/または表示規則が、マウス、トラックボール、操作棒または他の空間的２Ｄ入力周辺装置を介してユーザーにより定義または変更されることを特徴とする請求項１１記載の方法。
【請求項１９】
境界および/または表示規則が、マウス、トラックボール、操作棒または他の空間的な２Ｄ入力周辺装置を介してユーザーにより定義または変更されることを特徴とする請求項１２記載の方法。
【請求項２０】
各下位表示領域に表示された３Ｄデータ組が、体積ラスターデータまたは幾何学的構造物として記憶されることを特徴とする請求項１記載の方法。
【請求項２１】
コンピュータープログラム製品であって、３Ｄデータ表示システムで３Ｄデータを表示するためにその内部にコンピューター読み取り可能なプログラムコード手段を有する、コンピューターに利用可能な媒体を含み、そのコンピューター読み取り可能なプログラムコード手段は、コンピューターが、３Ｄ表示領域を二つ以上の下位表示領域に分割するようにするコンピューター読み取り可能なプログラムコード手段と；コンピューターが、表示規則の組を各表示下位領域に割り当てるようにするコンピューター読み取り可能なプログラムコード手段と；コンピューターが、該下位表示領域に割り当てられた規則にしたがい各下位表示領域に３Ｄデータ組の全部または一部を表示するようにするコンピューター読み取り可能なプログラムコード手段を含む製品。
【請求項２２】
３Ｄデータの表示方法を実施するための機械により実行可能な命令プログラムを実体的に具現する、機械により読み取り可能なプログラム記憶装置であって、前記表示方法が、３Ｄ表示領域を二つ以上の下位表示領域に分割し；表示規則の組を各下位表示領域に割り当て；該下位表示領域に割り当てられた規則にしたがい各下位表示領域に３Ｄデータ組の全部または一部を表示するものである装置。
【請求項２３】
一つ以上の３Ｄデータ組が、各下位表示領域に表示されることを特徴とする請求項１記載の方法。
【請求項２４】
同一３Ｄデータ組が、各下位表示領域に表示されることを特徴とする請求項１記載の方法。
【請求項２５】
３Ｄデータ表示システムにおける３Ｄデータの表示方法であって、一つ以上の３Ｄデータ組を３Ｄデータシステムにロードし、３Ｄ表示領域を二つ以上の下位表示領域に分割し、一つ以上の３Ｄデータ組を各下位表示領域に割り当て、表示規則の組を各下位表示領域に割り当て、該下位表示領域に割り当てられた規則にしたがい各下位表示領域に３Ｄデータ組の可視部を表示することからなる表示方法。
【請求項２６】
３Ｄデータ組のうち一組が、各下位表示領域に表示されることを特徴とする請求項２５記載の方法。
【請求項２７】
一つの３Ｄデータ組だけが、各下位表示領域に表示されることを特徴とする請求項２５記載の方法。
【請求項２８】
各表示領域に表示された３Ｄデータ組が、多角形データ組の表面描画であることを特徴とする請求項３記載の方法。
【発明の詳細な説明】
【技術分野】
【０００１】
本発明は、コンピューターでモデル化される３次元対象物の図視分野に関する。ここで対象物は、例えばＣＴ走査のような体積ラスターデータ（ｖｏｌｕｍｅ  ｒａｓｔｅｒ  ｄａｔａ）として、或いは線、多角形およびその他の基本要素からなる対象物のような幾何学的構造物として記憶されている。
【背景技術】
【０００２】
１９７０年代初のＸ−ｒａｙ撮影映像は、（例えば、マイクロトームからの） スライス組を多方面からデジタル的に再構成したコンピューター化断層撮影により補われる。これによって、そのような情報の３Ｄ的な図視方法に関する数多くの研究が行われ、例えば多様なアルゴリズムを用いてデータを直接的に体積描画する方法（ｖｏｌｕｍｅ  ｒｅｎｄｅｒｉｎｇ）や多角形または三角形からなる幾何学的構造物（多くのコンピューター上で、これらはより速やかに着色され、照光され、表示され得る。）により肝臓または腫瘍のような形状を示す表面抽出方法（ｓｕｒｆａｃｅ  ｅｘｔｒａｃｔｉｏｎ）が開発された。ＣＴが出現した直後、他の３Ｄ画像様式（ｉｍａｇｉｎｇ  ｍｏｄａｌｉｔｙ）、例えば磁気共鳴像（ＭＲ）、陽子射出断層撮影法（ＰＥＴ）、陽電子放射断層法（ＳＰＥＣＴ）および超音波（ＵＳ）が開発された。これらは、ユーザーによる位置および角度の調節下で先ず単一のスライスを表示し、後ほど一体化され３Ｄデータ組を生成する。医学的用途に対する現実的な可能性とは別に、他の様式、例えば震動記録法（ｓｅｉｓｍｏｇｒａｐｈｙ）および電磁地質感知法（ｅｌｅｃｔｒｏｍａｇｎｅｔｉｃ  ｇｅｏｌｏｇｉｃａｌ  ｓｅｎｓｉｎｇ）は、また体積データの重要なソースであり、その他の多様な分野でのデータ収集技術が存在する。
【０００３】
異なる様式は異なる情報をもたらす。例えば、医学的診断において、ＣＴはＭＲより明確に骨を表すが、ＭＲは腫瘍組織を同定することができる。そのため多様式画像が必要となる。例えば、外科医は、それらの情報を総合的に判定し、骨上での腫瘍の位置を把握して患者の体を診察することができる。そのような多様式における第一の必要条件は、３Ｄ映像を整列させる位置合せ（ｒｅｇｉｓｔｒａｔｉｏｎ）である。位置合せは簡単な問題ではない。その理由は、各々の様式は検出装置およびその位置によって異なる（ｘ、ｙ、ｚ）座標システムで報告され、かつそれぞれ異なるデータのワーピング（ｗａｒｐｉｎｇ）を持つことが多くて、一つのデータ組での直線は他のデータ組でのカーブに対応する場合が少なくない。ワーピングは一部の様式において本質的なものである。例えば、磁気共鳴像における理想的な線形変化磁気場強度は、有形の装置で計算上不可能である。そのようなワーピングは、相当な程度までは、医学装置の環境を制御するためにスキャナー内で自動的に埋め合わせられるが、これは地震走査には適用できない。一方のデータ組は対照群の脳から由来し、他方のものは腫瘍によって変形された患者から由来し、並びにユーザーが最適符合の問題を抱えている場合、医学的に完璧な整合は存在しないだろう。簡単に、本明細書では二つ以上の３Ｄデータ組に対する位置合せ問題を解決することについて論議する。
【０００４】
更なる問題は、ユーザーに複合的な多様式情報を表示する画像融合（ｉｍａｇｅ  ｆｕｓｉｏｎ）で起こる。位置合せは観察者による正確度基準を持つが（すなわち、その座標に関するデータは患者で同一の物理的位置の特徴を表す。）、画像融合は知覚心理学の問題を引き起こす。表示されるデータには、元の走査内の数字だけでなく、空極のような誘導されたもの、その他の３Ｄ対象物（例えば、抽出された表面、血官の中心カーブ、可能な移植物など）が含まれるため、多様である。データ様式（ｄａｔａ  ｍｏｄａｌｉｔｙ）という用語は、検出様式から明確な通り、本明細書にはそのような追加的な対象物を含むように用いられる。例えば、特定の類型の組織の境界として構成された表面において、位置合せは、それが抽出された体積データ組の座標に対しその表面が構成される限り、重要ではない。それにもかかわれず、一方の表面描画および他方の体積描画により伝えられる異なる情報は表示およびユーザーの心で座標を必要とする。そのために、表示される情報と、点別表示素子（すべての点別データを表示するのは非実用的という単純な理由から、通常は、赤色、禄色、青色および透明）の数とを比較する。
【０００５】
シェーダー（ｓｈａｄｅｒ）はダータ組の特定の値に表示特性を与える規則である。それは、通常的に、各々の点で例えば色、透明、模擬光反射特性のような属性を決め、目的となる特定の部位（例えば、がん細胞の領域または頁岩油の領域）の位置、大きさ、および形状のような知覚データ組内およびそれらの間に相違が生じるように選ばれる。同一データ組に対し、多数の異なるシェーダーを選ぶことができる。例えば、"骨を除いたすべての部分を透明に、つまり見えないように"といった規則によれば、まるで骨を囲んでいる筋肉組織が除去されているように、走査された患者の頭脳が表示される。一方、"組織は十分に鮮やかに、空気でないすべての点を示すように"といった規則によれば、肌の表面は、不透明に描画された領域の境界として表示される。なお、毛髪データは平均すると、ノイズと区別しにくい密度値になる場合が少なくないため、このような表示では患者は通常はげているように見える。図１は、複雑な３Ｄ対象物に対し多様な異なる描画（これらはそれぞれ長所と短所を持っている。）が可能であることを示す。図１の実施態様によれば、二つの異なる描画１０１と１０２は互いに異なる特徴を示しても良い。描画１０１では、コア１１１はかすかに見えるが、表面または固体構造物１１０は明確であり、または描画１０２では、コア１２０は明確に見えるが、モデルのその他の部分は隠されている。したがって、シェーダーの選択は、多様な多重検出様式からの入力なしに、統合された位置合せの図に関するもう一つのソースであり、そのような図の相互関連性はユーザーにとって重要であろう。
【０００６】
一つの可能な多様式表示法により、異なるデータ様式を用い、表示された画像の異なる色成分（ここでは"擬似色"と称する。）を制御することができる。例えば、ＣＴにより報告された密度（骨で高密度）は赤色の成分を制御することができる一方、ＭＲ値（腫瘍感度に対し調整される設定を持つ。）は緑色を制御することができる。しかしながら、赤色光と緑色光が結合すると、赤色と緑色との中間にある単一の黄色い周波数に光源が存在しているように、観察者は明確に黄色を感じることになるのが心理物理学的知見である。それにもかかわらず、ユーザーは黄色を直接的に"赤色と緑色との結合"と認知しない。したがって、黄色と"癌にかかった骨"との関連性は、"赤は骨"および"緑は癌"といった知見に基づいて自然に認識されるものではなく、特定の適用において知られるべきである。したがって、擬似色は、多様な３Ｄデータ表示環境において通用され得る解法ではなく、各々の適用においてユーザーに対し新しいかつ異なる訓練を行うことを必要とする。さらに、人間の目には三つの種類の色受容体しか存在しないため、擬似色は同時に四つのデータ様式をろくに表現できない。したがって、多くの場合において、可能な限り、すべての様式の位置合せを統合したコンテキストを保持しながら、異なるデータ表示様式へ互いに変換する必要が生じる。本発明はそのような必要性から生み出された。
【０００７】
[発明の概要]
本発明は３Ｄデータを表示するシステムおよび方法を提供する。本発明の方法は、３Ｄ表示領域を二つ以上の下位表示領域に分割し、各下位表示領域に表示規則の組を割り当てることからなる。各下位表示領域で３Ｄデータ組の図視部は、その下位表示領域に割り当てられた規則にしたがって表示される。本発明の一実施態様によれば、表示領域の境界、各下位表示領域に対する表示規則、および各下位表示領域に表示されるように割り当てられた３Ｄデータ組は、ユーザーによって設定され得、かつその表示の際にユーザーによって相互作用的に変更可能である。本発明の別の一実施態様によれば、たとえ異なる表示規則を用いても、各下位表示領域には同じ３Ｄデータが表示され得る。その他に、本発明による別の実施態様によれば、異なる３Ｄデータ組は各下位表示領域に表示され得る。本発明による更なる別の実施態様によれば、多様な３Ｄデータ組は、異なる検出様式を用いる同一対象物または体の走査も含める。
【０００８】
[発明の詳細な説明]
本発明の方法は３Ｄデータ表示システムで実施される。本発明をより理解しやすくするために、例示の目的で、これらのシステムに関する基礎理論を説明する。
【０００９】
クロップボックス（ｃｒｏｐ  ｂｏｘ）は３Ｄデータが描画される領域を制限する境界面（長方形の場合が多い。）である。それは、類似な作用を果たし、かつ同じ表示環境に共存し得るクリッピングボックス（ｃｌｉｐｐｉｎｇ  ｂｏｘ）とは区別される。それは、クロップボックスは、モデル空間（ｕ，ｖ，ｗ）内に固定されているため、ユーザーがその表示を回転させるか、或いは移動させる際に、そのモデル表示と共に移動し、示された一つ以上のモデル内の同一点に対する視覚的描画を含み続ける。モデル空間に対する関係を変更するのは別の操作である。クリッピングボックスは、対照的に、表示に関し定義された位置を持ち（すなわち、表示空間（ｘ，ｙ，ｚ）に固定されている。）、モデルの移動によって、モデルの部分が図示されたり図示されなかったりする。
【００１０】
本発明によれば、クロップボックスの体積を表示サブセットにパラメタ化して分割することによって、そのモデルの所定の座標での位置（ｐ，ｑ，ｒ）が、位置合せ下で、表示サブセット内にある（ｕ，ｖ，ｗ）モデル空間座標に相応する、全てのモデル点に関連して、どのようなデータモデルがどのように描画されるかに関する規則システムを各サブセット（ｓｕｂｓｅｔ）に割り当てるようになる。そのような規則システムにより、例えば特定の表示サブセットに対し、一つのモデルだけが描画されるか、或いはそれらを配合または結合するための適切な規則によって幾つかのモデル（それらが共同に位置合せされている組の一部であれば）が描画される。同様に、目的とするシェーダーまたはシェーダー設定が幾つかある場合に、同一のデータ組を異なる表示サブセットに割り当て、それぞれ異なるシェーダーまたはシェーダー設定を利用しデータ組を描画しても良い。例えば、一つのサブセットでは骨だけを図示化する一方、他のサブセットでは頭脳組織だけを図示化しても良い。または、適切な配合によって、一つのサブセットは骨を囲んでいる軟質の頭脳組織の形状をほとんど透明に表すが、他のサブセットは骨の位置の痕跡を持ったまま頭脳を示しても良い。そのような配合は次の実施例で有用であろう。頭脳組織の特徴に興味を持つ外科医は診察のために、それをほとんど骨に関連させ、物理的な頭脳上での過程によって、幾何学的に正しい、解剖学的に正しい、並びに医学的に適切な組織断片を変更させるのを望むだろう。
【００１１】
本発明の一実施態様によれば、そのような表示サブセットは、例えば体積、例えば図２に示したような、対向する一対のボックス面に並行する平面により分離された長方形のクロップボックスの一部であるか、或いは図３に示したようなより複雑な分離組を持ち得る。別の実施態様によれば、一つ以上の表示サブセットとしては、２次元表示、例えば平面多角形、または球状曲面板でデータ値に依存する映像；線またはカーブに沿った一次元的、データのサンプリング；または一つ以上の分離された点からなる０次元的ものでもあり得る。
【００１２】
一実施態様によれば、ユーザーは、当業界に知られている、相互作用的な対象物を利用することによって、特定のサブセットに関連したシェーダー、または異なるデータ組の値の配合を決定する規則を変更することができる。
【００１３】
更なる実施態様によれば、ユーザーは特定のシステムで利用可能なパラメタ化およびインターフェイス手段に従い、クロップボックスの表示サブセットへの分解法を多様に変更することができる。例えば、特定の実施態様でサブセットが特定平面の一面に対する点として定義されれば、その平面は移動され得る。その実施態様で、平面に対し移動だけが許可される動作であれば、その位置はスライダ型対象物により制御され得る。その他に、より複雑な制御手段を用いて、ユーザーは、位置でなく他の特徴を特定するパラメタを調整することにより、そのような平面を回転させるか或いは変更させることができる。例えば、図３に示したような分割を構成する反復単位の寸法を変更することができる。任意のそのようなパラメタはまた当分野に知られている多様なインタフェース・オブジェクトにより制御され得る。
【００１４】
クロップボックス分解を移動させ、かつ変更させる能力によって、ユーザーは、データソースまたはシェーダーが変更する際に特定点または小さな領域で起こる変化、および位置に注目することによって異種の検出様式またはシェーダーからの情報を比較し、それらを融合することのできる強力な手段を持つことになる。
【００１５】
本発明を例示するために、下記の実施例および当分野の表記法と用語を用いる。３Ｄデータ表示システムに二つ以上の３次元データ組をロードするが、各データ組は、その組に特異的な‘内部的’座標システム（ｐ，ｑ，ｒ）で正義される。物理的空間での同一点が、異なるデータ組での異なる（ｐ，ｑ，ｒ）値に対応していても良い。各データ組では、その位置が座標（ｕ，ｖ，ｗ）により示される共有モデル空間内で、データ組での各々の（ｐ，ｑ，ｒ）に対し相応する点を特定する変換が生じる。そのような変換を共通のシステム（ｕ，ｖ，ｗ）に割り当てるのは、前述した位置合せの問題に対する解法に該当する。また、表示システムは，モデル空間座標（ｕ，ｖ，ｗ）を、ユーザーなどの観点にしたがってハードウェアに対し特定された表示座標（ｘ，ｙ，ｚ）へ変換させる場合に、これらの対象物を描画するために存在する。そのように表示されたモデル空間領域はユーザーにより制御されるクロップボックスによって制限され得る。（ｘ，ｙ，ｚ）座標によって示された表示空間で、附属制御オブジェクトよび他のデータオブジェクトは、クロップボックスの内部領域に限られず配置され得る。クロップボックスを制御することによって、（ａ）ユーザーはそれをモデル空間座標（ｕ，ｖ，ｗ）に対し移動させて、一つ以上のモデルを表示するための異なる領域を選択し、（ｂ）その大きさと形状を変更し、一つ以上のモデルの表示のための異なる領域を選択し、並びに（ｃ）モデル座標（ｕ，ｖ，ｗ）との関係をそのまま維持しながら表示座標（ｘ，ｙ，ｚ）でそれを移動させることができる。後者の効果は、モデル空間座標（ｕ，ｖ，ｗ）を表示座標（ｘ，ｙ，ｚ）に対応させる変換を代数的に変えることにある。そのような一例として、ユーザーは、所定の回転または移動により、一つ以上のモデルの表示された部分を移動させ、表示が異なる画像を得ることを経験する。
【００１６】
さらに、モデル空間の体積分解（ｖｏｌｕｍｅ  ｄｅｃｏｍｐｏｓｉｔｉｏｎ）は、モデル空間（ｕ，ｖ，ｗ）で所定の点がどのようなサブセットに属するかを決定する計算可能な規則または規則の組およびサブセットの有限の目録を意味する。モデル・シーン（ｍｏｄｅｌ  ｓｃｅｎｅ）は体積走査、色および他のグラフィックス情報を有する多角形表面、ｆ（ｕ，ｖ，ｗ）＝ｃの陰関数表面（ここで、ｆは（ｕ，ｖ，ｗ）の計算可能な関数である。）、直線分割、スプライン表面およびカーブを含むがこれらに限定されるわけではない一つ以上の描画可能なデータ組のアセンブリを意味する。各データ組はその定義座標（上記実施態様では（ｐ，ｑ，ｒ）として説明された。）からモデル空間座標（ｕ，ｖ，ｗ）へ転換される。（ｕ，ｖ，ｗ）がモデルを定義するための座標として用いられる場合、恒等行列によりデータ組の定義座標はモデル空間座標へ変換される。モデル・シーンで描画可能なデータ組をそのモデルと称する。したがって、モデル空間の描画分解は、モデルがその内部に点を有している場合に、どのようなモデル（或いはその一部）がどのようなシェーダーにより描画されるかについて、各サブセットに対する仕様およびモデル・シーンを備えた体積分解として理解される。分解された描画（ｄｅｃｏｍｐｏｓｅｄ  ｒｅｎｄｅｒｉｎｇ）は所定のクロップボックス、ユーザー観点、表示装置および２Ｄまたは３Ｄウィンドウに対しこれら仕様を満たす表示である。
【００１７】
分解された描画を得るための手段は、データとシェーダーの特徴および表示システムによって変わっても良い。例えば、平面境界によって制限されたサブセットで描画されるべき体積データ、例えば立方体またはその他の多面体は、“３Ｄテクスチャズ（ｔｅｘｔｕｒｅｓ）”として知られている技術での、データの平面多角形的リサンプリング（ｒｅｓａｍｐｌｉｎｇ）の積み重ねを示すことによって表示され得る。例えば、Ｃａｂｒａｌ，Ｂ．，Ｃａｍ，Ｂ．，ａｎｄ  Ｆｏｒａｎ，Ｊ．：Ａｃｃｅｌｅｒａｔｅｄ  Ｖｏｌｕｍｅ  Ｒｅｎｄｅｒｉｎｇ  ａｎｄ  Ｔｏｍｏｇｒａｐｈｉｃ  Ｒｅｃｏｎｓｔｒｕｃｔｉｏｎ  Ｕｓｉｎｇ  Ｔｅｘｔｕｒｅ  Ｍａｐｐｉｎｇ  Ｈａｒｄｗａｒｅ，Ｐｒｏｃ．ＡＣＭ／ＩＥＥＥ  １９９４  Ｓｙｍｐｏｓｉｕｍ  Ｖｏｌｕｍｅ  Ｖｉｓｕａｌｉｚａｔｉｏｎ．，（１９９４）  ９１−９８  ａｎｄ  １３１  参照。これらの境界平面が比較的少ない場合に、必要とする多角形境界を効率よく計算することができる。例えば、長方形ブラックの平面スライスが六つ以上の縁部を持つことはない。表面に対し平行することが保証されれば、それは容易に計算可能な、正確に四つの縁部を持つ。
【００１８】
この技術は本発明の一実施態様で利用することができる。体積サブセット（ｖｏｌｕｍｅ  ｓｕｂｓｅｔ）がもっと複雑であれば、その表示を制限する他の方法を利用するのが好ましい。例えば、データ組のどのような点が図視されるか或いは図示されないかをそれぞれ特定するために１および０の３Ｄ配列を定義する方法が用いられる。このような方法は計算の際に相当のコストを要するが、高度に平行化することができ、並びに所定の配列の大きさに対し、コストは該サブセットの複雑さによって変わらない。多角形モデルにおいて、平面を切り抜くことにより（その平面の所定の固定最大数は利用可能なグラフィックス・エンジンで支持されていても良い。）定義された凸組に含まれている領域に対し、描画を制限するのがより速い場合が少なくない。もっと複雑なサブセットは他の解法を必要とする。本発明では、描画を所定の体積サブセットに制限する方法に関して具体的に言及していないが、任意の実施態様において、そのような制限された描画を実施することができるモデルの種類および体積を制限するのも可能であろう。
【００１９】
理論的には、領域を特定すること（すなわち、描画されるべきモデルの目録が空いているボックスを補足すること。）によって、クロップボックスを描画分解の一要素として考えることができる。クロップボックスの外側に現れるそのモデル空間内では、任意のモデルのいかなる部分も描画されない。これは、画面指数装置（ｓｔｙｌｕｓ）、スライダ類、その他のモデル空間の要素、または表示画像の相互作用的な要素または記号的要素の描画を除くわけではない。ソフトウェアの構築の際にクロップボックスを別に扱うのは一般的だが、本発明では、特定の計算環境での実施ではなく、ユーザーに提供される視覚的表示の一般的なデザインが扱われる。同様に、一実施態様において、クロップボックスが迅速に計算可能な長方形ボックスの形態をしていても（その名称が示唆しているように）、それは球状、またはもっと複雑な任意の形状を持ち得る。
【００２０】
クロップボックスを他の描画体積仕様から区別する重要な理由は、体積分解の他の側面は変更されるか或いは変化しても、クロップボックス、モデル空間および表示空間との間に不変の関係を維持するのが便利な場合が多いからである。例えば、図4は、二つのサブセット４０２と４０３を含むモデル空間と固定された関係にあり、各サブセットには異なる描画（ことによると、同一のモデルの)が用いられる長方形クロップボックス４０１を示す。二つのサブセットは変化し(ただし、同一のモデルおよびシェーダーの選択は維持する。)、それらの全結合体４０１の体積(或いは、場合によっては領域)を変更させることなく４１２と４１３になり得る。
【００２１】
図3に関連して、下位領域(すなわち、体積サブセット)は接続されていなくても良い。図3（ａ）に示したように、下位分割３０１は規則的なチェッカー盤配列になっている二つの領域、３１０と３１１を含む。図3（ａ）では、二つの領域は明確に“Ｘ”３１１および“Ｙ”３１０として示されている。三つの種類のデータ組またはシェーダーは長方形領域で公平に配列できないが、３５１を領域３６０（“Ａ”として示す。）、３６１（“Ｂ”として示す。）および３６２（“Ｃ”として示す。）に分割すると、そのようなほとんどの場合において、規則的な、かつ便利な例示的レイアウトができる。数多くの、そのような代案的な幾何学的分割は本発明の範囲に属する。
【００２２】
実施態様によっては、システムの制御下で描画分解を完全に維持することもできるが（ここで、システムデザイナーはユーザーに何が見られるか、並びにどのようなシェーダーを用いるかを正確に操作したがっている。）、本発明の好ましい実施態様では、描画分解がユーザーの制御下にある。その意味で、二つの制御形態は互いに関係がある。
【００２３】
ユーザーが描画分解を制御する一実施態様は、図４でサブセットセパレーター４０５が移動する際に、描画分解を移動させる能力である。図５に示すように、領域分離面５０１の移動はまた回転を含んで、クロップボックス境界面に平行しない方向を仮定することができれば、クロップボックス５００をより複雑な形状の領域５１０および５１１に分離することができる。一般に、Ｅがモデル空間の剛性変換（例えば、回転、移動またはこれらの操作の組み合わせ）であれば、Ｅにより移動される描画分解下で、モデル空間座標（ｕ，ｖ，ｗ）を持つ点に対するサブセット、およびそれに関連する一つ以上のシェーダーの割り当ては、モデル空間座標Ｅ-1（ｕ，ｖ，ｗ）を持つ点対する元の描画分解の割り当てであるものと定義される。ここで、Ｅ-1はＥの逆行列である。したがって、この点は特定点（ｕ′，ｖ′，ｗ′）であるため、Ｅ（ｕ′，ｖ′，ｗ′）＝（ｕ，ｖ，ｗ）である。Ｅが任意の可逆な変換（例えば、スケーリング、せん断、または非線形ワーピング）であれば、そのような定義は、環境がＥを特定する方法を提供するという前提下で、任意の描画分解の移動手段を提供する。
【００２４】
数多くの３Ｄ相互作用的な環境は、任意の剛性変換としてＥを特定する少なくとも一つの方法を提供するため、それに相応する、任意の描画分解の移動は制御可能である。他の可能な変換のうち、スケールの制御（‘ズーム’）が一般的であり、セン断変換の制御はそれよりまれで、非線形ワーピングの制御は一般的に専門的な用途と関係がある。好ましい実施態様では、手持形センサーのユークリッド運動が感知され、このような運動は表示座標で、並びに現在それに対応するモデル空間座標でＥとして示され、かつＥは現在描画分解を移動させる変換として利用される。
【００２５】
したがって、通常に、移動による変更により任意の描画分解が可能となる。特別な適用においては、ユーザーが操作可能な運動の範囲を制限するのも便利であろう。例えば、図２は長方形クロップボックスを示すが、それは三方向へ分割されても良い。例えば、ボタンを押すことにより、音声命令により、メニューオプションをクリックすることにより、または当分野に既に知られているような他の手段により、特定の分割を選択する。その縁部に沿って測定した内部座標（ｐ、ｑ、ｒ）を持つ長方形クロップボックス２０１は、（ｐ、ｑ）‐平面２１１、（ｐ，ｒ）‐平面２２１または（ｑ，ｒ）‐平面２３１によって、それぞれ領域２１２と２１３、領域２２２と２２３、または領域２３２と２３３に分割される。これらの領域は描画分解の表示サブセットを定義し、各々のサブセットに対するシェーダーを定義する相互作用的な対象物は、予め設定されているか、或いはユーザーが、各々のサブセットでどのような（一つ以上の）モデルが現れるか、並びにそれらはそれぞれどのように描画されるかといったことを決めることができる。運動の範囲は純粋な並進移動であり、各々の表面は、それに対し典型的な軸方面でだけしか移動できない。ユーザーは、スライダ、マウスに取り付けられたホイールにより、または当分野に知られているような任意の１変数連続入力装置を用いてそのような運動を制御することができる。その他に、ユーザーは、３次元空間に存在するセンサーを備えたシステムを用いて、スライダを引くか或いは所定の方向へその平面をタッチし引くこともできる。引くモードの駆動は、例えば音声により、描画される画面指数装置の先端部を、切断平面の可視縁部に十分近く配置させ、装置の制御ボタンを用いて移動させることにより（ここで、平面は、その平面に平行する方向への任意の運動とは関係なく、画面指数装置の先端部の位置にしたがって通過しつつ移動する。）、または当分野に知られているような任意の手段により行われ得る。
【００２６】
本発明の更なる実施態様において、分割領域は２次元組（表面）、１次元組（カーブ）または０次元的組（点）であっても良い。図６は、もっぱら面積を持つ下位平面領域６００により分離された二つの下位領域６０１と６０２（それぞれ体積を持つ。）に対し、そのような可能性を示す。三つの下位領域に用いられた明確なシェーダーまたはデータ組は、サブセット６０１に対し明確な描画６１１を、サブセット６０２に対し明確な描画６１２を、サブセット６００に対し明確な描画６１０をそれぞれ作り出す。本発明の更なる実施態様によれば、単一の平面領域は単一の平面領域内に含まれても良く（図６に示されている実施態様のようにそれを二つに分離するのではなく）、或いはクロップボックスの面に並行する一つ、二つ、または三つの平面内に含まれても良い。より一般的に、本発明の実施態様によれば、２次元的な下位領域は、例えばカーブ形態、例えば球状または他の分析的に定義された表面ｆ（ｘ、ｙ、ｚ）＝０、またはアプリオリから構成されるか、或いはデータから抽出された多角形表面を持ち得る。そのような表面抽出に関連する実施態様を例示するために、走査様式を、脳を囲んでいる膜の細胞内遺伝子の活性化に対し応答するように同調させると、それは、脳表面上に存在しない点（ｘ、ｙ、ｚ）から非‐ゼロデータ値を得ることができる。このような走査または他の走査から表面幾何学を抽出すること、およびもっぱら抽出された表面上で遺伝子活性化データを表示することは、ユーザーに一層明確な表面活性化値を提供することになる。
【００２７】
図５は、例示的なクロップボックス５００を二つの領域５１０と５１１に分離し、描画分解の表示サブセットを定義するために単一の平面５０１を利用する一実施態様を示す。平面５０１は３次元的に自由に移動し、好ましい実施態様によれば、それは位置および方向の両方を表す３次元携帯センサーのようなものによって制御されるため、ユーザーは手を用いて表面５０１を動かすことができる。その他の入力装置を利用し、例えばトラックボールまたはマウスのように、‘制御角度’モードおよび‘（ｘ、ｙ）方向への並進移動’モードとの間を転換させたり、当分野に知られているような平面運動を表すその他の多様な分解を制御したりしても良い。
【００２８】
一般的に、コンピューター画面での３次元対象物に対する任意の位置制御手段を、モデル空間に対する描画分解の剛性運動Ｅを定義するという特定の作業に適用するのも本発明の範囲に属する。
【００２９】
前述したように、複雑な描画分解が平面のような一つ以上の標準形態およびそれらを特定するための位置変数を必要とするのは明らかである。例えば、図３に示された例示的分割（これは例示的なモデル空間を二つの表示サブセット３１０と３１１、および三つの表示サブセット３６０と３６１と３６２とにそれぞれ分割する。）は、多様な方向へのまたは同時に同じ因子による全方向へのスケーリングにより変更され得る。全部または一部の方向への類似なスケール制御手段を、例えば３次元的な六角形分割に適用することができる（ここで、セル層は、ハチの巣で蜂によって使われるものと類似した形状を持つ。）。他の制御手段は、図示された例示的分割で長方形または六角形ブラック内のコーナー角を変えるか、或いはこれらまたは他の分割作業中に他の幾何学的因子を利用することができる。一実施態様によれば、デザイナーは、ユーザーにより別に制御可能な任意のそのような因子（例えば、スライダ、ユーザーがクリックするか或いは音声命令を発して標準量を増加または減少させる段階制御手段、または当分野に知られているような他のサイズ制御手段の利用）を製作することができる。
【００３０】
図７は、当分野に知られているように、適切なデータプロセッサーにより行われ得るのモジューラ・ソフトウェア・命令プログラムの一例を示すが、これは本発明による好ましい実施態様を構成する。例示的なソフトウェアプログラムは、例えばハードドライブ、フラッシュメモリ、メモリスティック、光記憶媒体、または当分野に知られているような他のデータ記憶装置上に記憶されても良い。本発明の好ましい実施態様によれば、プログラムは、適切なデータプロセッサーのＣＰＵによりアクセスされ、かつ実行される際に、３Ｄ表示システムで３Ｄコンピューターモデルのスケーリングを制御する方法を実施する。例示的なソフトウェアプログラムは四つのモジュールを持つが、これらはそれぞれ本発明の好ましい実施態様に関連する四つの作用（機能）に対応する。
【００３１】
第一のモジュールは、例えばＩｎｐｕｔ  Ｄａｔａ  Ａｃｃｅｓｓ  Ｍｏｄｕｌｅ  ７１０で、当分野で知られているように、任意のユーザーインタフェースを介して３Ｄデータ組、体積分解、描画規則、隣接するサブセット間の境界の変更など（これらについては前述した通りである。）のようなユーザーの入力データを受け入れることができる。第二のモジュールは、例えばＭｏｄｅｌ  Ｓｃｅｎｅ  Ｓｔｏｒａｇｅ  Ｍｏｄｕｌｅ  ７２０で、表示システムに描画のために現在利用可能なモデルまたは３Ｄデータを記憶する。
【００３２】
第三のモジュールは、例えばＶｏｌｕｍｅ  Ｄｅｃｏｍｐｏｓｉｔｉｏｎ  Ｍｏｄｕｌｅ  ７０３で、Ｉｎｐｕｔ  Ｄａｔａ  Ａｃｃｅｓｓ  Ｍｏｄｕｌｅ  ７０１より所定のクロップボックスがどのように分割されるか、並びに表示領域に互いに隣接している複数のサブセットを分離する表面または境界領域に対する変更、定義および設定に関する入力データを受け入れる。第四のモジュールは、例えばＲｅｎｄｅｒｉｎｇ  Ｄｅｃｏｍｐｏｓｉｔｉｏｎ  Ｍｏｄｕｌｅ  ７０４で、例えば三つの他のモジュール７０１、７０２および７０３からの入力データを受けて、各々のサブセット内に適用可能な規則にしたがい表示領域で一つ以上の多様なモデルを描画する。この描画分解は、最後に３Ｄ画像７０５を駆動し、ユーザー/観察者に情報を提供するのに用いられる。
【００３３】
図８は、本発明の一実施態様に対する例示的プロセス流れ図を示す。ここで、３Ｄ表示領域は、一つ以上の３次元データ組を含む下位表示領域に分割される。開示８０１から始まり、プロセス流れは８０２（ここで、システムには二つ以上の３Ｄデータ組がロードされている）へ移る。８０３で、３Ｄ表示領域は、例えば表示領域を分割し各々の下位表示領域の境界を割り当てる３Ｄ平面により、二つ以上の下位領域に分割される。８０４で、ロードされた３Ｄデータ組は下位表示領域に割り当てられる。一実施態様によれば、一つの３Ｄデータ組だけが所定の下位領域に表示される。８０５で、表示規則組は各々の下位表示領域に割り当てられる。例えば、各々の下位表示領域は、下位表示領域の境界に従い、クロップボックスの大きさを変更することによって、割り当てられたデータ組を表示する。８０６で、ユーザー、所定の規則、またはこれらの組み合わせによって下位表示領域の境界を変更し、かつ対話型オブジェクトまたは装置によってユーザーは３Ｄデータ組の異なる部分を観察・比較することができる。最後に、８０７で、システムはその操作を停止するべきかを尋ねる。「はい」であれば、８０８でプロセス流れは停止する。「いいえ」であれば、フローは８０５へ戻り、下位表示領域規則、並びに下位領域に割り当てられた３Ｄデータ組および下位領域境界は変更され得る。
【発明を実施するための最良の形態】
【００３４】
本発明の実施態様では、本発明の例示的な方法を、所定の患者のＣＴ走査データとＭＲＩ走査データとの間の位置合せを比較するのに適用することができる。ＣＴは骨を見るのに、ＭＲＩは軟部組織（例えば、脳皮質および腫瘍）を見るのに利用され、手術の前に注意深く計画を立てることを可能とする。ユーザーは、例えば先ず両方のデータ組の間の位置合せを行うことができる。位置合せが終わったら、ユーザーは例えば実行された位置合せが実際どれほど良いかを見るために結果を視覚的に観察することができる。本発明の作用を用い、ユーザーは異なる表示領域に対し異なる表示規則を適用し、したがって一つの領域で一種類の走査データをかつ他の領域で他のデータを見ることができる。下位領域の間にある境界を異動させて、ユーザーは対象物の走査から利用可能な情報を完全に理解することができる。
【００３５】
図９は、それぞれ骨を表するＣＴ（図の左側）走査データ、かつ同一患者の皮膚または脳組織を表すＭＲＩ（図の右側）走査データを示す。図１０は、共同位置合せ（実際の位置合せはここで示されていないが、“位置合せ”タブは一番下の中心部にある仮想制御パレットで見られる。）を行った後の、これらの二つのデータ組を示す。ここで、ユーザーは“検証”モジュールを選択し、二つのデータ組およびそれらの位置合せを比較することができる。
【００３６】
図１１に関連して、ユーザーは仮想制御パレットで“対象物１”としてＭＲＩを選択し、また仮想制御パレットで“対象物２”としてＣＴを選択し、次いでデータ組の比較を開示する“検証”ボタンを押すことができる。図１２は一つのクロップボックス内に二つのデータ組を示す。クロップボックスは、単一の対象物として操作されるが、二組の間に水平の分離平面を有する。示された実施態様で、水平の平面は、幾つかの表示方法（対照パネルを参照）、すなわち切断（垂直）、切断（水平）および交換を可能とするシステムである。プロセスで示された点において、ユーザーはデータ組との相互作用を開示することができる。
【００３７】
水平の分離平面
図１３は、ユーザーが頂上部（ＣＴ）下位領域と底部（ＭＲＩ）下位領域との間で平面の分離平面を移動させるのを示す。図１４は、ユーザーが頂上部（ＣＴ）半分と下部（ＭＲＩ）半分との間で分離平面を移動させるのを示す。ここで、水平の分割平面は多少高く設定されている。
【００３８】
垂直の分離平面-左／右
図１５は、ユーザーが左側（ＣＴ）半分と右側（ＭＲＩ）半分との間で垂直の分離平面を移動させるのを示す。図１６は、ユーザーが左側（ＣＴ）半分と右側（ＭＲＩ）半分との間で垂直の分離平面を移動させるのを示す。ここで、顔のほとんどの部分はＭＲＩデータ組を表示する。図１７は、ユーザーが左側（ＣＴ）半分と右側（ＭＲＩ）半分との間で分離平面を移動させることを示す上面図である。分離平面は対象物の顔に対し垂直であり、したがって頭部を左側および右側に分割する。
【００３９】
図１８は、図１７に示された頭蓋骨の背面の頂上部に対する拡大図で、ユーザーは左側（ＣＴ）半分と右側（ＭＲＩ）半分との間で垂直の分離平面を移動させる。ここで示したように、ユーザーは、例えばそのボックスを拡大し、両方の対象物間の整合を示す詳細図を有することができる。さらに拡大することによって、図１９は、両方の対象物間の整合を示す詳細図で、ユーザーが左側（ＣＴ）半分と右側（ＭＲＩ）半分との間で分離平面を移動させるのを示す。図２０は、非拡大モードへ戻り、図１７に対し異なる配分角を用い、ユーザーが左側（ＣＴ）半分と右側（ＭＲＩ）半分との間で分離平面を移動させるのを示す。 図１５〜１９において、ＭＲＩおよびＣＴデータ組は交換された左側部分と右側部分を有する。
【００４０】
垂直の分離平面‐正面／背面
図２１は、ユーザーが背面（ＭＲＩ）半分と正面（ＣＴ）半分との間で分離平面を移動させるのを示す。分離平面は対象物の顔に平行しているため、頭部を正面と背面部分に分割できる。図２２は、ユーザーが背面（ＭＲＩ）半分と正面（ＣＴ）半分との間で分離平面を移動させるのを示す。ここで、分離平面は多少後方へ移動される。図２３は、ユーザーが背面（ＭＲＩ）半分と正面（ＣＴ）半分との間で分離平面を移動させるのを示す。ここで、分離平面はさらに後方へ移動される。
【００４１】
最後に、図２４は正面／背面分離を利用する、頭部の背面の拡大図であり、図２５および図２６は同一領域の左／右分離を示す。図２７および図２８は図２６の拡大図を示すが、拡大されたボックス内の左／右分離平面の位置だけが異なっている。
【００４２】
本発明は、実施態様および好ましい実施態様ついて説明しているものの、これらによって本発明が限定されることはない。当業者には、それらの実施態様の対する種々の変更は、添付の請求の範囲により定められるような本発明の範囲に入るということが理解されるべきである。
【図面の簡単な説明】
【００４３】
【図１】本発明の一実施態様にしたがって、通常のデータ対象物から生成されるが、 単一の３Ｄ走査データ組に、異なるシェーダー或いは異なる走査様式を適用し得られる、二つの例示的な表示画像の模式図を示す。
【図２】本発明の一実施態様にしたがって、長方刑領域を下位領域に分割する、表面に平行する平面の例示的な使用を示す。
【図３】図３（ａ）と図３（ｂ）は、本発明の一実施態様にしたがって、例示的な表示体積を二つおよび三つの分離された領域に分割することを示す。
【図４】本発明の一実施態様にしたがって、二つの異なるシェーダー（または二つの異なるデータ組）を用いるモデルの例示的な描画を示す。ここで、ディバイダによる、長方形領域の下位領域への分割は変更することができる。
【図５】本発明の一実施態様にしたがって、領域のいかなる面とも平行しない分割平面を用いて長方形領域を分割する実施例を示す。
【図６】本発明の一実施態様にしたがって、二つの３Ｄ下位領域および一つの２次元的下位領域へ分割する実施例を示す。それらは独特なシェーダまたはデータ組によってそれぞれ描画される。
【図７】本発明の一実施態様におけるモジューラソフトウェアを示す図である。
【図８】本発明の一実施態様におけるプロセス流れ図を示す。
【図９】本発明の一実施態様による方法を、位置合せの比較に適用することを示す。ここで、本発明の例示的な特性が示されている。
【図１０】本発明の一実施態様による方法を、位置合せの比較に適用することを示す。ここで、本発明の例示的な特性が示されている。
【図１１】本発明の一実施態様による方法を、位置合せの比較に適用することを示す。ここで、本発明の例示的な特性が示されている。
【図１２】本発明の一実施態様による方法を、位置合せの比較に適用することを示す。ここで、本発明の例示的な特性が示されている。
【図１３】本発明の一実施態様による方法を、位置合せの比較に適用することを示す。ここで、本発明の例示的な特性が示されている。
【図１４】本発明の一実施態様による方法を、位置合せの比較に適用することを示す。ここで、本発明の例示的な特性が示されている。
【図１５】本発明の一実施態様による方法を、位置合せの比較に適用することを示す。ここで、本発明の例示的な特性が示されている。
【図１６】本発明の一実施態様による方法を、位置合せの比較に適用することを示す。ここで、本発明の例示的な特性が示されている。
【図１７】本発明の一実施態様による方法を、位置合せの比較に適用することを示す。ここで、本発明の例示的な特性が示されている。
【図１８】本発明の一実施態様による方法を、位置合せの比較に適用することを示す。ここで、本発明の例示的な特性が示されている。
【図１９】本発明の一実施態様による方法を、位置合せの比較に適用することを示す。ここで、本発明の例示的な特性が示されている。
【図２０】本発明の一実施態様による方法を、位置合せの比較に適用することを示す。ここで、本発明の例示的な特性が示されている。
【図２１】本発明の一実施態様による方法を、位置合せの比較に適用することを示す。ここで、本発明の例示的な特性が示されている。
【図２２】本発明の一実施態様による方法を、位置合せの比較に適用することを示す。ここで、本発明の例示的な特性が示されている。
【図２３】本発明の一実施態様による方法を、位置合せの比較に適用することを示す。ここで、本発明の例示的な特性が示されている。
【図２４】本発明の一実施態様による方法を、位置合せの比較に適用することを示す。ここで、本発明の例示的な特性が示されている。
【図２５】本発明の一実施態様による方法を、位置合せの比較に適用することを示す。ここで、本発明の例示的な特性が示されている。
【図２６】本発明の一実施態様による方法を、位置合せの比較に適用することを示す。ここで、本発明の例示的な特性が示されている。
【図２７】本発明の一実施態様による方法を、位置合せの比較に適用することを示す。ここで、本発明の例示的な特性が示されている。
【図２８】本発明の一実施態様による方法を、位置合せの比較に適用することを示す。ここで、本発明の例示的な特性が示されている。
【図１】
2006512133.tif 000003
【図２】
2006512133.tif 000004
2006512133.tif 000005
【図４】
2006512133.tif 000006
【図５】
2006512133.tif 000007
【図６】
2006512133.tif 000008
【図７】
2006512133.tif 000009
【図８】
2006512133.tif 000010
【図９】
2006512133.tif 000011
【図１０】
2006512133.tif 000012
【図１１】
2006512133.tif 000013
【図１２】
2006512133.tif 000014
【図１３】
2006512133.tif 000015
【図１４】
2006512133.tif 000016
【図１５】
2006512133.tif 000017
【図１６】
2006512133.tif 000018
【図１７】
2006512133.tif 000019
【図１８】
2006512133.tif 000020
【図１９】
2006512133.tif 000021
【図２０】
2006512133.tif 000022
【図２１】
2006512133.tif 000023
【図２２】
2006512133.tif 000024
【図２３】
2006512133.tif 000025
【図２４】
2006512133.tif 000026
【図２５】
2006512133.tif 000027
【図２６】
2006512133.tif 000028
【図２７】
2006512133.tif 000029
【図２８】
2006512133.tif 000030
【国際調査報告】
2006512133.tif 000031
2006512133.tif 000032